(57)【要約】【課題】乳房が垂れ下がる使用者に対しても、全体的の美しさを達成可能な胸の形を綺麗に見せる分離式ブラジャーを提供する。【解決手段】２個の左右を分離するカップ１で構成される。主に、二つの分離するカップ１の上端側に一つの延長するカップ素材２を設ける。延長するカップ素材２は単一の凸形、又は２個又は２個以上の凸形延長するカップ素材２を設けることも可能である。カップ１及び延長するカップ素材２の内面には、すべて粘着層を塗布してある。ブラジャーの粘着層を設けてある部分に予め一層の離型フィルムを塗布することが可能である。カップ１は綿、シリコン又は紙などの素材を使って作ることが可能で、カップ１の本体に適切な充填物１２があることで、ブラジャーパットが形成されるため、乳房に粘着して使用する場合、乳房をアップ及び集中可能であり、胸を大きくする効果もあり、完璧な胸の形を創造可能である。【選択図】図１
0003118710.tif 000002
【実用新案登録請求の範囲】
【請求項１】
胸の形を綺麗に見せる分離式ブラジャーであって、
２個の左右を分離するカップで構成され、二つの分離するカップの上端側に一つの延長するカップ素材を設け、その延長するカップ素材は突出な形状を呈し、
カップ及び延長するカップ素材の内面にはすべて粘着層を塗布してあり、使用するとき、上端側の延長するカップ素材を引いて乳房の上側部分に粘着することにより、乳房をアップ及び集中可能であることを特徴とする胸の形を綺麗に見せる分離式ブラジャー。
【請求項２】
延長するカップ素材は単一の突出な形状を呈することを特徴とする請求項１記載の胸の形を綺麗に見せる分離式ブラジャー。
【請求項３】
延長するカップ素材は２個または２個以上の突出する形状を有することを特徴とする請求項１記載の胸の形を綺麗に見せる分離式ブラジャー。
【請求項４】
粘着層を設けてある部分に予め一層の離型フィルムを塗布してあることを特徴とする請求項１記載の胸の形を綺麗に見せる分離式ブラジャー。
【請求項５】
左右を分離するカップ内面の局部又は全部の範囲に粘着層を塗布して設けることを特徴とする請求項１記載の胸の形を綺麗に見せる分離式ブラジャー。
【請求項６】
左右を分離するカップは綿、シリコン又は紙からなることを特徴とする請求項１記載の胸の形を綺麗に見せる分離式ブラジャー。
【請求項７】
左右を分離するカップの中に充填物が入れられて、ブラジャーパットを形成することを特徴とする請求項１記載の胸の形を綺麗に見せる分離式ブラジャー。
【請求項８】
左右を分離するカップは立体の形態を呈することを特徴とする請求項１記載の胸の形を綺麗に見せる分離式ブラジャー。
【請求項９】
左右を分離するカップは平面裁断の方法を使用し、薄い紙、フィルム又は薄い綿布をカットして形成されていることを特徴とする請求項１記載の胸の形を綺麗に見せる分離式ブラジャー。
【考案の詳細な説明】
【技術分野】
【０００１】
本考案は、ブラジャーに関し、特に胸の形を綺麗に見せる分離式ブラジャーに関する。
【背景技術】
【０００２】
従来のブラジャーの目的は、女性の乳房を仕上げ、美化することで、快適及び美観の効果を生じさせるのである。従来の布生地のブラジャーは左右対称を呈するカップが２個あるほか、バックホック及び肩紐も付いてある。又、肩紐の無いタイプ、肩紐を交換できるタイプなどもある。又、いまはシリコンカップで構成する肩紐がないブラジャーも登場してきた。それは主に胸の形を大きく綺麗に見せる目的を達成するため作られるものである。
【考案の開示】
【考案が解決しようとする課題】
【０００３】
しかしながら図９に示すように従来の一種のブラジャーは、１対の左右対称を呈するカップ１０（そのカップは綿、シリコン又は紙などの素材で作られる）及び二つのカップ１０を接続する接続パーツ２０で構成される。カップ１０の内面に粘着層を塗布してあり、使用する場合、直接二つのカップ１０（接続パーツ２０を含む）を乳房に貼るだけで良いが、このような従来のブラジャーは、無理やり胸を集中するだけで、綺麗に見せる効果があまり無い。特に、乳房が垂れ下がる使用者に対して、乳房を上に上げられないし、逆に胸の形がもっと垂れ下がりになったので、全体的の美しさの求めを達成できないのである。
【０００４】
したがって本考案の目的は、乳房が垂れ下がる使用者に対しても、全体的の美しさを達成可能な胸の形を綺麗に見せる分離式ブラジャーを提供することにある。
【課題を解決するための手段】
【０００５】
上述の目的を達成するために本考案の請求項に記載の胸の形を綺麗に見せる分離式ブラジャーは、２個の左右を分離するカップで構成されるものである。主に、二つの分離するカップの上端側に一つの延長するカップ素材を設ける。延長するカップ素材は単一の凸形、又は２個又は２個以上の凸形であっても良い。更に、カップ及び延長するカップ素材の内面にすべて粘着層を塗布してあるので、使用する場合、その粘着層に予め設ける離型フィルムを外して女性の乳房に粘着してから、上端側の延長するカップ素材を引いて乳房の上縁に粘着させることで、乳房を集中して胸の形を綺麗に見せる効果が得られる。
【考案を実施するための最良の形態】
【０００６】
以下、本考案の実施例を図面に基づいて説明する。
図１に示すように、本考案の実施例は胸の形を綺麗に見せる分離式ブラジャーに関する。それは２個の左右を分離するカップ１で構成される。主に、二つの分離するカップ１（図１にはその中での一つのカップ１のみ表示）の上端側に一つの延長するカップ素材２を設ける。延長するカップ素材２は単一の凸形（図１、図２に示す）、又は２個又は２個以上の凸形延長するカップ素材２（図３はツインの凸形を呈する実施状態である。それによって、３個又はそれ以上の凸形延長するカップ素材を使っても良い）を設けることも可能である。カップ１及び延長するカップ素材２の内面には、すべて粘着層３を塗布してある。ブラジャーの粘着層３を設けてある部分に予め一層の離型フィルム４（図１は局部のフィルムを表示するだけ）を塗布することが可能である。
上述の２個の左右を分離するカップ１の内面の局部（例えば図４、図５に示すように、内面の中央乳頭の位置は粘着剤無い部分１１である）又は全部にすべて粘着層３を塗布することが可能である（図２、図３に示す）。
【０００７】
上述の左右を分離する２個のカップ１を利用して、使用する場合、粘着層３に予め設けた離型フィルム４を外して女性の乳房５に粘着してから、上端側の延長するカップ素材２を引いて乳房５の上縁（図６の矢印の方向の通り）に粘着させることで、乳房を上にアップ（乳房が高くなる）及び胸の形を集中して綺麗に見せる効果（図７の通り）が得られる。
【０００８】
図３又は図５の通り、この考案の延長するカップ素材２はツインの凸形を使うことも可能である。ツインの凸形の粘着作用により、より便利で異なる胸の形状に従って自由に粘着位置を調整して、個人の良好な胸の形状を作ることが可能である。これは現した胸のアップ及び集中する効果がもっと良い（図８に示す）。この考案にツインの凸形状の延長するカップ素材２を使っても良いことによって、２個、３個又は複数個以上の凸形状の延長するカップ素材２を使うことも可能である。
【０００９】
２個の左右を分離するカップ１は綿、シリコン又は紙などの素材を使って作ることが可能で、カップ１の本体に適切な充填物１２（例えばスポンジ、シリコン、空気など）があることで、ブラジャーパットが形成されるため、乳房５に粘着して使用する場合、乳房５をアップ及び集中可能であり、胸を大きくする効果もあるので、乳房の垂れ下がることを避けて、完璧な胸の形を創造可能である。
【００１０】
上述のカップ１は立体の実施状態であるが、必要とする場合、左右を分離するカップ１は平面裁断の方法を使うことも可能である。即ち、薄い紙、フィルム又は薄い綿布をカットして作ることが可能である。上述のようにカップ１の実施状態は制限が無く、立体形態でも、平面形態でも良いのである。
上述の粘着層３は繰り返し粘着できるシリコン類接着剤で作られ、そのシリコン類の接着剤は繰り返し粘着、皮膚に傷をつけない特性があるが、それは従来の材料なので、ここで詳しく説明しないこととする。
【００１１】
本考案の重要な目的は、胸の形を綺麗に見せる分離式ブラジャーを提供するものである。それは２個の左右を分離するカップで構成される。二つの分離するカップの上端側に一つの延長するカップ素材を設けて、更に、カップ及び延長するカップ素材の内面にすべて粘着層を塗布してあるので、女性の乳房に粘着して使用する場合、その上端側の延長するカップ素材を引いて乳房の上縁に粘着することで、胸の形が垂れ下がることを避け、乳房をアップ及び集中できる効果を得られる。
【００１２】
この考案の次の目的は、胸の形を綺麗に見せる分離式ブラジャーを提供するものである。その二つの分離するカップの上端側にある延長するカップ素材は必要により、単一の凸形又は２個又は２個以上の凸形の延長するカップ素材を設けることで、異なる胸の形に従って、その粘着位置を調整して、ベストの胸の形を創造可能である。
この考案の別一つの目的は、胸の形を綺麗に見せる分離式ブラジャーを提供するものである。その二つの分離するカップ内面の局部又は全部の範囲に粘着層を塗布する。
この考案の又一つの目的は、胸の形を綺麗に見せる分離式ブラジャーを提供するものである。その二つの分離するカップは綿、シリコン又は紙などの素材を使って作っても良い。更に、普段粘着層を設けてある部分に予め一つの離型フィルムを粘着してある。
【図面の簡単な説明】
【００１３】
【図１】本考案の実施例による胸の形を綺麗に見せる分離式ブラジャーを示す断面説明図である。
【図２】本考案の実施例による胸の形を綺麗に見せる分離式ブラジャーで単一の凸形の延長するカップ素材を設ける実施状態図である。
【図３】本考案の実施例による胸の形を綺麗に見せる分離式ブラジャーでツインの凸形の延長するカップ素材を設ける実施状態図である。
【図４】本考案の実施例による胸の形を綺麗に見せる分離式ブラジャーのカップ内面の局部に粘着層を塗布する実施状態図である。
【図５】本考案の実施例による胸の形を綺麗に見せる分離式ブラジャーのカップ内面にすべて粘着層を塗布する実施状態図である。
【図６】本考案の実施例による胸の形を綺麗に見せる分離式ブラジャーを貼って使用する動作説明図である。
【図７】本考案の実施例による胸の形を綺麗に見せる分離式ブラジャーを使用した後の状態説明図である。
【図８】本考案の実施例による胸の形を綺麗に見せる分離式ブラジャーの別一つの実施状態を使用した後の状態説明図である。
【図９】従来のブラジャーの使用状態の説明図である。
【符号の説明】
【００１４】
１  カップ、２  延長するカップ素材、３  粘着層、４  離型フィルム、５  乳房、１１  粘着剤無い部分、１２  充填物
【図１】
0003118710.tif 000003
【図２】
0003118710.tif 000004
【図３】
0003118710.tif 000005
【図４】
0003118710.tif 000006
【図５】
0003118710.tif 000007
【図６】
0003118710.tif 000008
【図７】
0003118710.tif 000009
【図８】
0003118710.tif 000010
【図９】
0003118710.tif 000011